(57)【特許請求の範囲】
【請求項１】
建物の屋外における所定領域を撮像して画像情報を取得する撮像手段と、
前記所定領域における人体を検知する検知手段と、
前記検知手段が人体を検知したときに前記撮像手段が撮像した画像を少なくとも含む画像情報を記憶手段に記憶させる記憶処理手段と、
屋内に配設され、利用者により外出のための所定操作が行われる操作手段と、
屋内に配設され、前記画像情報を表示する表示手段と、
前記操作手段が操作されたときに、前記記憶手段に記憶されている画像情報のうち、前記操作手段での操作時から遡って所定数分の画像情報、又は、所定時間以内に記憶された画像情報を選択し、当該選択した画像情報と、前記撮像手段が現在撮像している画像情報である現在画像情報とを前記利用者が対比可能な態様で前記表示手段に表示させる表示制御手段とを備えたことを特徴とする屋外監視装置。
【請求項２】
前記操作手段は、前記建物内が無人である無人モード、又は、前記建物内が有人である有人モードを設定する操作手段であり、
前記記憶処理手段は、前記操作手段にて設定されているモードに関連付けて前記画像情報を前記記憶手段に記憶させ、
前記操作手段が操作されたときに前記表示制御手段が前記選択する画像情報は、前記操作手段での操作時から遡って所定数分の画像情報、又は、所定時間以内に記憶された画像情報であって、前記有人モードが設定されているときに記憶した画像情報である請求項１に記載の屋外監視装置。
【発明の詳細な説明】
【技術分野】
【０００１】
本発明は、予め設定された屋外の監視範囲内の様子を画像表示する屋外監視装置に関する。
【背景技術】
【０００２】
従来、建物の出入口の屋外側の様子を撮像するカメラと、屋内に設置された表示装置とを接続し、表示装置にて、所定の操作がされたときに、現在のカメラ画像を表示装置に表示する装置が知られている（例えば下記特許文献１に開示される警備状態設定システムを参照）。
【０００３】
これにより、利用者は、外出時に現在の屋外の様子を確認できるので、利用者が屋外へ出たところを襲おうとする賊の存在を察知できる。
【特許文献１】特開２００３−６７６８号公報
【発明の開示】
【発明が解決しようとする課題】
【０００４】
しかしながら、利用者が屋外に出るところを襲おうとする賊は、利用者が屋外に出るときに常にカメラに映るような建物の出入口付近にいるわけではなく、利用者が建物内にいるかを屋外から屋内の様子を窺って確認してから隠れて待っていたり、利用者が屋内にいることを確認した場合には隠れて待ち伏せる性質がある。
【０００５】
したがって、そのような場合には、特許文献１に開示される従来の装置のように、利用者が屋外に出る直前に現在の画像を確認しただけでは、その画像に賊の姿が映らない可能性が高く、利用者が賊の存在を察知できないという問題が生じる。
【０００６】
そこで、本発明は、上述した賊の性質に着目して上記問題を解決するためになされたものであり、屋外に出る利用者を隠れて待っている賊の存在を察知できる屋外監視装置を提供することを目的とする。
【課題を解決するための手段】
【０００７】
上記目的を達成するため、本発明の請求項１に記載された屋外監視装置は、建物の屋外における所定領域を撮像して画像情報を取得する撮像手段と、
前記所定領域における人体を検知する検知手段と、
前記検知手段が人体を検知したときに前記撮像手段が撮像した画像を少なくとも含む画像情報を記憶手段に記憶させる記憶処理手段と、
屋内に配設され、利用者により外出のための所定操作が行われる操作手段と、
屋内に配設され、前記画像情報を表示する表示手段と、
前記操作手段が操作されたときに、前記記憶手段に記憶されている画像情報のうち、前記操作手段での操作時から遡って所定数分の画像情報、又は、所定時間以内に記憶された画像情報を選択し、当該選択した画像情報と、前記撮像手段が現在撮像している画像情報である現在画像情報とを前記利用者が対比可能な態様で前記表示手段に表示させる表示制御手段とを備えたことを特徴とする。
【０００９】
請求項２に記載された屋外監視装置は、請求項１の屋外監視装置において、
前記操作手段は、前記建物内が無人である無人モード、又は、前記建物内が有人である有人モードを設定する操作手段であり、
前記記憶処理手段は、前記操作手段にて設定されているモードに関連付けて前記画像情報を前記記憶手段に記憶させ、
前記操作手段が操作されたときに前記表示制御手段が前記選択する画像情報は、前記操作手段での操作時から遡って所定数分の画像情報、又は、所定時間以内に記憶された画像情報であって、前記有人モードが設定されているときに記憶した画像情報であることを特徴とする。
【発明の効果】
【００１０】
本発明は、利用者が屋外に出たところを襲おうとする賊の性質に着目した発明である。すなわち、本発明では、そのような賊が建物内を屋外から窺って確認してから隠れて待ち伏せる性質に着目している。この性質を利用して、本発明に係る屋外監視装置では、屋外から屋内を窺ったときの賊が映った画像情報を人体検知に基づいて記憶しておき、この画像情報を利用者が屋外に出る前に表示する。これにより、利用者が屋外に出たところを襲おうとして隠れて待っている賊の存在を、利用者が屋外に出る前に察知できる。
【発明を実施するための最良の形態】
【００１１】
以下、本発明に係る屋外監視装置について図面を参照しながら説明する。
図１は本発明に係る屋外監視装置のブロック構成図、図２は屋外監視装置を含む監視システムの概略構成図、図３は屋外監視装置における表示装置内の画像記憶手段に記憶される情報の一例を示す図、図４は屋外監視装置における警備装置内の監視制御手段の処理内容を示すフローチャート、図５は屋外監視装置における表示装置内の記憶処理部の処理内容を示すフローチャート、図６は屋外監視装置における表示装置内の表示制御手段の処理内容を示すフローチャート、図７は屋外監視装置における表示装置内の画像表示手段に表示される表示画面の一例を示す図である。
【００１２】
本発明に係る屋外監視装置１は、例えば図２に示すような監視システム５１に採用される。この監視システム５１は、本発明に係る屋外監視装置１と、防犯センサ６１と、監視センタ６２とによって構築される。
【００１３】
そして、本発明の要部の一実施例である屋外監視装置１について概略説明すると、屋外の出入口近傍を撮影する人体検知・撮像機能を有する監視装置と屋内に設置された表示装置とを接続し、監視装置が人体を検知したときの撮像画像を記録するようにしておく。そして、外出のための操作が利用者によってされたときに、この操作時から遡った人体検知に基づく記録画像を表示装置に表示し、利用者が屋外に出るときに隠れて待っている賊の存在を、利用者が屋外に出る前に察知できるようにしている。なお、本実施例では、外出中における侵入者の監視を監視システム５１にさせるための操作を外出のための操作としている。以下、各構成について説明する。
【００１４】
屋外監視装置１は、予め設定された屋外の監視範囲内の様子を監視するもので、図１及び図２に示すように、監視装置２、警備装置３、表示装置４を備えて概略構成される。
【００１５】
監視装置２は、建物の屋外に設置され、図１に示すように、撮像手段２１、検知手段２２、制御手段２３、画像信号出力手段２４、検知信号出力手段２５を備えている。
【００１６】
撮像手段２１は、建物の屋外側の所定領域、具体的には建物の屋外と屋内との通行口となる出入口近傍の所定領域を監視範囲（撮像範囲）としてその様子を常時撮像し、監視範囲を撮像した画像情報を逐次制御手段２３に出力している。この撮像手段２１は、例えば近赤外領域の光を検出するＣＣＤ撮像素子等の画像取得回路を有するカメラで構成され、毎秒数フレームの所定時間周期で監視領域を撮影した画像情報（ＮＴＳＣ（National Television Standards Committee ）方式の映像信号）を制御手段２３に逐次送出している。なお、撮像手段２１としては、ＣＣＤ撮像素子以外にもＣＭＯＳ撮像素子などを利用することができる。
【００１７】
検知手段２２は、予め設定された監視範囲（検知範囲）内における人体の存在を検知し、人体の存在を検知したときに検知信号を制御手段２３に出力している。監視範囲（検知範囲）は、撮像手段２１の監視範囲（撮像範囲）とほぼ同一になるように設定されている。この検知手段２２は、例えば監視範囲に設定された領域から放射される赤外線の受光量の変化を検出し、その変化量が所定値よりも大きくなったときに、人体を検知する赤外線センサによって構成することができる。
【００１８】
なお、検知手段２２としては、上記赤外線センサに限らず、超音波センサなどを用いることができる。また、撮像手段２１にて撮像された画像情報の変化量から人体を判定するようにし、撮像手段２１が検知手段２２の機能を兼ねる構成としてもよい。さらに、図１の例では、撮像手段２１と検知手段２２が監視装置２に含まれる構成としているが、撮像手段２１（第１監視装置）と検知手段２２（第２監視装置）とに別体に構成することもできる。
【００１９】
制御手段２３は、撮像手段２１から逐次入力される画像情報を、画像信号出力手段２４を介して表示装置４に出力制御している。また、制御手段２３は、検知手段２２から人体の存在を示す検知信号が入力されたときに、その検知信号を検知信号出力手段２５を介して表示装置４に出力制御している。
【００２０】
画像信号出力手段２４は、表示装置４と接続されるインターフェースであり、撮像手段２１からの画像情報を、制御手段２３の制御により逐次表示装置４に出力している。
【００２１】
検知信号出力手段２５は、表示装置４と接続されるインターフェースであり、検知手段２２からの検知信号を、制御手段２３の制御により表示装置４に出力している。
【００２２】
防犯センサ６１は、建物内における侵入者の侵入を検知するもので、監視対象となる建物内部の各所に設置される。具体的に、防犯センサ６１は、例えば窓の開閉を監視するマグネットセンサ、赤外線を受光してその変化量から建物内に存在する人体を検知する赤外線センサ、緊急事態が起こったときに利用者が押下する非常ボタンなどで構成される。これら各種センサからなる防犯センサ６１は、建物内部の警備装置３と接続され、それぞれの検知信号を警備装置３のセンサＩ／Ｆ３１に出力している。
【００２３】
なお、図２の例では、３つの防犯センサ６１が１つの警備装置３に接続された例を示したが、防犯センサ６１の数は限定されるものではなく、建物内の所定箇所に適宜配置することができる。
【００２４】
監視センタ６２は、通信網を介して警備装置３と通信可能に接続されており、警備装置３から異常の旨の通知を受信したときに、その受信した信号の内容を確認して、何らかの対処が必要だと判断した場合には、対処員に監視対象への適切な対処を指示している。また、監視センタ６２では、必要に応じて１１０番、１１９番通報や、監視対象または所定の緊急連絡先との電話連絡などの処理を行っている。
【００２５】
警備装置３は、建物の屋内側に設置され、防犯センサ６１の検知信号を受信したときに、建物内における侵入者の侵入と判別し、監視センタ６２へ侵入異常の旨を通知する侵入監視機能を備えている。
【００２６】
本例では、警備装置３が建物内における侵入監視機能を実行するにあたり、利用者の操作によって警備装置３に設定される警備状態として、以下の３つのモードがある。
【００２７】
警備モード…建物内に利用者がいない無人状態のときに設定される警備状態のモードであって、警備装置３が侵入監視を行う警備状態のモード。なお、本実施例では、この警備モードが、本発明における無人モードに相当する。
【００２８】
解除モード（非警備モード）…建物内に利用者がいる有人状態のときに設定される警備状態のモードであって、警備装置３が侵入監視を行わない警備状態のモード。
【００２９】
巡回モード（非警備モード）…監視センタ６２から点検を指示された対処員が侵入異常の発生した建物内部に入っている有人状態のときに設定される警備状態のモードであって、警備装置３が侵入監視を行わない警備状態のモード。
【００３０】
なお、本例では、上述の解除モード、巡回モードを含む非警備モードが、本発明における有人モードに相当する。また、上述した３つのモードの何れかが後述するモード設定操作手段３３にて設定できる構成としているが、警備装置３が侵入監視を行う警備状態の警備モードと、警備装置３が侵入監視を行わない警備状態の非警備モードとの２つのモードのみであってもよい。
【００３１】
警備装置３は、図１に示すように、センサＩ／Ｆ３１、通信手段３２、モード設定操作手段３３、モード記憶手段３４、監視制御手段３５、情報表示手段３６、情報出力手段３７を備えている。
【００３２】
センサＩ／Ｆ３１は、各種センサと接続されるインターフェースである。本例では、防犯センサ６１と接続されており、防犯センサ６１からの検知信号を受信し、この受信した検知信号を監視制御手段３５に出力している。
【００３３】
通信手段３２は、監視センタ６２との間で通信網を介して通信可能であり、監視制御手段３５が建物内に侵入者が侵入したと判別したときに、監視制御手段３５の制御により、監視センタ６２に対して侵入異常の旨の通知を行っている。
【００３４】
モード設定操作手段３３は、上述した警備状態のモード設定を含め、警備状態のモード変更要求操作（警備モード、解除モード、巡回モードのモードの切り替え操作）を行う際に操作されるもので、建物の利用者が屋外に出る際に操作される操作手段に相当するものである。
【００３５】
具体的には、モード設定操作手段３３は、操作者が警備状態を変更する正当な権限を有する人物かを判定するための認証手段としてのカードリーダと、操作手段としての操作釦（モードを切り替えるモード切替釦、モードを確定する確認釦）とから構成される。そして、利用者が外出する際に、解除モードから警備モードへと警備状態を変更する場合には、利用者がカードリーダにてカード操作を行うと、カードに記録されたＩＤコードをカードリーダが読み取り、この読み取ったＩＤコードが予め記憶されたＩＤコードと一致する場合に警備状態の変更を許可している。そして、許可された場合、モード設定操作手段３３は、変更する警備状態の情報を監視制御手段３５へ出力している。
【００３６】
なお、建物の利用者が屋外に出る際に操作される操作手段としては、例えば玄関などに設けられた照明や空調などをＯＦＦするための操作手段でもよい。
【００３７】
モード記憶手段３４は、監視制御手段３５の制御により、モード設定操作手段３３にて設定された現在の警備状態（警備モード、解除モード、巡回モードの何れか）を記憶している。
【００３８】
監視制御手段３５は、防犯センサ６１からセンサＩ／Ｆ３１を介して検知信号（異常を示す信号）が入力されると、モード記憶手段３４を参照し、現在の警備状態が警備モードである場合に、通信手段３２を介して監視センタ６２に侵入異常信号を送信している。これに対し、現在の警備状態が解除モード又は巡回モードである場合には、監視センタ６２への侵入異常信号の送信は行わない。
【００３９】
監視制御手段３５は、モード設定操作手段３３から変更する警備状態の情報が入力されたときに、利用者に対して警備状態を変更する旨を情報表示手段３６に表示制御し、その後、利用者がモード設定操作手段３３の確認釦を操作して了解の旨が入力されると、モード記憶手段３４に変更する警備状態を記憶させている。
【００４０】
監視制御手段３５は、モード設定操作手段３３から警備モードへ変更する警備状態の情報が入力されたときに、利用者が賊を察知できるようにするための画像情報を表示装置４に表示制御させるためのトリガ信号となる警備モード移行信号を、情報出力手段３７を介して表示装置４に出力制御している。また、監視制御手段３５は、警備状態が変更されたときに、変更後のモードを示す警備状態情報を、情報出力手段３７を介して表示装置４に出力制御している。
【００４１】
情報表示手段３６は、監視制御手段３５の制御により、現在の警備状態（警備モード、解除モード、巡回モードの何れか）を表示している。また、情報表示手段３６は、監視制御手段３５の制御により、モード設定操作手段３３による警備状態の変更時に、警備状態の変更を確定する操作（モード設定操作手段３３の確認釦の押下）を利用者に促すコメント表示を行っている。
【００４２】
情報出力手段３７は、表示装置４と接続されるインターフェースであり、監視制御手段３５の制御により、警備モード移行信号、警備状態情報を出力している。
【００４３】
表示装置４は、監視装置２が撮像した屋外の様子を画像表示するもので、屋内に設置される。表示装置４は、図１に示すように、表示操作手段４１、画像信号入力手段４２、検知信号入力手段４３、情報入力手段４４、表示制御手段４５、画像記憶手段４６、画像表示手段４７を備えている。
【００４４】
表示操作手段４１は、各種操作釦や操作キーで構成され、所望の画像情報を画像表示手段４７に表示する際に操作される。具体的には、現在の屋外の画像情報を見るとき、画像記憶手段４６に記憶されている画像情報を見るとき、検知手段２２の検知状態を確認するときに操作される。また、表示操作手段４１は、複数の監視装置２が配設される場合、所望の監視装置２による画像情報に切り替えて画像表示手段４７に表示するときに操作される。
【００４５】
画像信号入力手段４２は、監視装置２と接続されるインターフェースであり、監視装置２の画像出力手段２４からの画像情報を表示制御手段４５に入力している。
【００４６】
検知信号入力手段４３は、監視装置２と接続されるインターフェースであり、監視装置２の検知信号出力手段２５からの検知信号を表示制御手段４５に入力している。
【００４７】
情報入力手段４４は、警備装置３と接続されるインターフェースであり、警備装置３の情報出力手段３７からの警備モード移行信号、警備状態情報を表示制御手段４５に入力している。
【００４８】
表示制御手段４５は、表示操作手段４１からの操作情報、画像信号入力手段４２からの画像情報、検知信号入力手段４３からの検知信号、情報入力手段４４からの警備モード移行信号、警備状態情報を入力として、画像表示手段４７の表示を制御するもので、図１に示すように、現在画像表示処理部４５ａ、検知画像処理部４５ｂを備えている。
【００４９】
現在画像表示処理部４５ａは、監視装置２から画像信号入力手段４２を介して逐次入力される現在の画像情報を画像表示手段４７に表示制御している。
【００５０】
検知画像処理部４５ｂは、図１に示すように、記憶処理部４５ｂ１と選択表示部４５ｂ２を備えている。記憶処理部４５ｂ１は、検知手段２２の人体検知に基づいて撮像手段２１が撮像した画像情報を画像記憶手段４６に記憶させる。具体的には、記憶処理部４５ｂ１は、監視装置２から検知信号入力手段４３を介して検知信号を受信したときに、この検知信号受信時の現在画像と、その前後所定時間（例えば、３秒前と３秒後）に取得された画像とを画像情報（合計３枚の画像）として画像記憶手段４６に記憶させる。
【００５１】
記憶処理部４５ｂ１は、警備装置３からの警備状態情報を記憶するメモリ（図示しないが表示制御手段４５に具備）を参照し、画像記憶手段４６に画像情報を記憶させるときに、警備状態（警備モード、解除モード、巡回モードの何れか）の情報を付与して画像記憶手段４６に記憶させる。また、記憶処理部４５ｂ１は時計手段（図示せず）を備えており、画像記憶手段４６に画像情報を記憶させるときに、そのときの時刻を付与して画像記憶手段４６に記憶させる。なお、画像記憶手段４６に記憶させる画像情報としては、検知信号受信時の現在画像１枚分のみであってもよい。
【００５２】
選択表示部４５ｂ２は、警備モード移行信号が入力されたときに、予め設定された画像選択条件に適合する画像情報を、画像記憶手段４６に記憶された画像情報から選択して画像表示手段４７に表示制御している。
【００５３】
上記画像選択条件とは、（１）情報入力手段４４を介して警備モード移行信号が入力された時点から遡って所定数分（例えば３画像情報、すなわち、９枚の画像）の画像情報であること、（２）警備モード移行信号が入力されたときに設定されている解除モード中に記憶された画像情報であることの両方の条件を満足することである。
【００５４】
なお、条件（１）については、情報入力手段４４を介して警備モード移行信号が入力された時点から遡って所定時間（例えば６時間）以内に記憶した画像情報でも良い。すなわち、画像選択条件に適合する画像情報とは、モード設定操作手段３３での操作時から遡って所定数分の人体検知に基づく画像情報、又は、モード設定操作手段３３での操作時から遡って所定時間以内に記憶された人体検知に基づく画像情報であって、過去において最後に設定された警備モードから移行して非警備モードが設定されているときに記憶された画像情報である。
【００５５】
画像記憶手段４６は、記憶処理部４５ｂ１の制御に基づいて監視装置２の検知手段２２が人体を検知したときに撮像手段２１が撮像した画像とその前後に撮像手段２１が撮像した画像とを画像情報として記憶している。具体的には、画像記憶手段４６は、図３に示すように、画像情報Ｎｏ．（固有番号：例えば固定の通し番号）と、記録時刻（時：分：秒）と、警備状態（警備モード、解除モード、巡回モードの何れか）とを対応付けた画像情報を記憶している。すなわち、画像記憶手段４６には、検知信号入力時の画像とその前後の画像とが一纏めにされた状態で、各画像情報Ｎｏ．毎に記録時刻と警備状態とが付与されて記憶される。
【００５６】
画像表示手段４７は、表示制御手段４５の制御により、監視装置２が撮像した現在の画像情報、監視装置２の検知手段２２が人体を検知したときの画像情報を表示している。
【００５７】
次に、上述した監視システム５１に採用される屋外監視装置１の動作について図４〜図７を参照しながら説明する。なお、図４は、モード設定操作手段３３により非警備モード（解除モード又は巡回モード）から警備モードへのモード移行要求操作が行われたときの動作フローチャートを示している。
【００５８】
・監視制御手段３５の処理（図４）
モード設定操作手段３３での警備モード移行要求操作によりＩＤコードが入力されたか否かを判別する（ＳＴ１）。ＩＤコードが入力されなければ（ＳＴ１−ＮＯ）、予め設定された時間が経過してタイムアップしたか否かを判別し（ＳＴ２）、タイムアップすれば（ＳＴ２−ＹＥＳ）、処理を終了する。タイムアップしなければ（ＳＴ２−ＮＯ）、ＳＴ１の処理（ＩＤコードの入力待ちの処理）に戻る。
【００５９】
そして、ＩＤコードが入力されたと判別すると（ＳＴ１−ＹＥＳ）、そのＩＤの認証がＯＫか否かを判別する（ＳＴ３）。ＩＤの認証がＯＫでない（ＮＧ）と判別すると（ＳＴ３−ＮＯ）、処理を終了する。ＩＤの認証がＯＫと判別すると（ＳＴ３−ＹＥＳ）、情報出力手段３７を介して表示制御手段４５に警備モード移行信号を出力する。続いて、モード設定操作手段３３の確認釦が操作されたか否かを判別する（ＳＴ５）。確認釦が操作されていないと判別すると（ＳＴ５−ＮＯ）、予め設定された時間が経過してタイムアップしたか否かを判別し（ＳＴ６）、タイムアップすれば（ＳＴ６−ＹＥＳ）、処理を終了する。タイムアップしなければ（ＳＴ６−ＮＯ）、ＳＴ５の処理（確認釦の操作待ちの処理）に戻る。そして、確認釦が操作されたと判別すると（ＳＴ５−ＹＥＳ）、現在の警備状態を警備モードとしてモード記憶手段３４に記憶し、情報出力手段３７を介して表示制御手段４５に警備モードの警備状態信号を出力する（ＳＴ７）。
【００６０】
・記憶処理部４５ｂ１の処理（図５）
屋外監視装置１の電源がＯＮした後に、監視装置２から検知信号入力手段４３を介して検知信号が入力されたか否かを判別する（ＳＴ１１）。そして、検知信号が入力されたと判別すると（ＳＴ１１−ＹＥＳ）、この検知信号入力時に監視装置２から画像信号入力手段４２を介して入力される現在画像とその前後の画像とを画像情報として画像記憶手段４６に記憶させる（ＳＴ１２）。また、このときに現在の警備状態のモードと現在時刻の情報を画像情報に付加して記憶させる。
【００６１】
・表示制御手段４５の処理（図６）
警備装置３から情報入力手段４４を介して警備モード移行信号が入力されると、表示制御手段４５の選択表示部４５ｂ２は、記憶処理部４５ｂ１が記憶した画像情報の中から前述した画像選択条件に適合する画像情報を選択する（ＳＴ２１）。そして、選択した画像情報のうち直近の画像情報と現在画像情報とを、図７に示すような表示形式で画像表示手段４７に表示する（ＳＴ２２）。その際、選択した画像情報と現在画像情報とは、図７に示すように、利用者が両者の画像を対比可能な形態で表示するのが望ましい。
【００６２】
表示制御手段４５は、画像表示手段４７の画像表示領域Ｅを１つの現在画像表示領域Ｅ１と３つの記憶画像表示領域Ｅ２，Ｅ３，Ｅ４とに４等分に分割し、現在画像表示領域Ｅ１にリアルタイムの現在画像情報を表示し、３つの記憶画像表示領域Ｅ２〜Ｅ４に選択した画像情報（検知信号入力時の画像とその前後２つの画像）を表示している。これにより、利用者は、現在の屋外の様子を映した現在画像情報と、人体検知に基づく記憶画像である画像情報とを比較することができるので、屋外に出る前に賊の存在を察知することができる。表示制御手段４５は、選択した画像情報が複数ある場合には、表示操作手段４１にて所定の操作がされると、順次過去に遡って画像情報を記憶画像表示領域Ｅ２〜Ｅ４に表示する。
【００６３】
なお、本実施例では、リアルタイムの現在画像情報と１つの画像情報とを一画面上に分割表示しているが、表示領域の分割数を増加して複数の画像情報を表示するようにしてもよい。
【００６４】
続いて、表示制御手段４５は、現在の警備状態が警備モードとなったか否かを判別する（ＳＴ２３）。現在のモードが警備モードでないと判別すると（ＳＴ２３−ＮＯ）、予め設定された時間が経過してタイムアップしたか否かを判別し（ＳＴ２４）、タイムアップしなければ（ＳＴ２４−ＮＯ）、ＳＴ２３の処理（モード判別処理）に戻る。タイムアップすれば（ＳＴ２４−ＹＥＳ）、画像表示手段４７に対する画像情報の表示を停止する（ＳＴ２５）。また、現在の警備状態が警備モードであると判別すると（ＳＴ２３−ＹＥＳ）、画像表示手段４７に対する画像情報の表示を停止する（ＳＴ２５）。
【００６５】
このように、本例の屋外監視装置１は、利用者が外出時に行う操作である警備モードの設定操作がされたときに、人体検知に基づいて記憶された画像情報のうち、設定操作時から遡って所定時間以内に記憶された画像情報、又は、設定操作時から遡って所定数の画像情報を表示する。これにより、屋外から屋内の様子を窺って確認してから隠れる性質のある賊が映った画像を表示できるので、利用者が屋外に出たところを襲おうとして隠れて待っている賊の存在を、利用者が屋外に出る前に察知することができる。また、屋内の様子を窺った賊は、利用者が屋内にいることを確認した場合に、隠れて待ち伏せる性質を持っている。この性質に着目し、本例の屋外監視装置１では、利用者が建物内にいる状態である非警備モード中において記憶した画像情報を表示するので、賊が映っている可能性の高い画像情報を表示することができる。
【００６６】
さらに、本例の屋外監視装置１は、利用者が屋外に出るための操作をしたときに、その操作時から遡った人体検知に基づいて記憶された画像情報と現在画像情報とを図７に示すような一つの表示画面上に対比可能に同時に表示する。これにより、人体検知に基づいて記憶された画像情報に賊が映っている場合、利用者は、屋外から屋内を窺ったときの賊が映った記録画像情報と現在の画像情報とを屋外に出る前に見比べて比較でき、より詳細に賊が存在しているか否かを確認することができる。
【００６７】
ところで、上述した実施形態では、監視装置２が１つの場合を例にとって説明したが、複数の監視装置２を建物の屋外側の所定箇所に設置し、各監視装置２からの画像情報及び検知信号を表示装置４に入力する構成としてもよい。この場合、屋外監視装置１は、表示操作手段４１の操作に応じて、所望の監視装置２に切り替え、この切り替えられた監視装置２が撮像した現在画像情報と、画像選択条件に適合した人体検知に基づいて記憶された画像情報とを画像表示手段４７に表示するようにする。
【００６８】
また、上述した実施形態では、表示装置４の画像記憶手段４６にて人体検知に基づく画像情報を記憶する構成としたが、監視装置２に画像情報を記憶する手段を設ける構成としてもよい。この場合、警備モードへの設定操作があったときに表示装置４の表示制御手段４５が監視装置２から記憶された画像情報を取得するようにすればよい。
【００６９】
さらに、上述した実施形態では、警備装置３と表示装置４とを別体構成として説明したが、これら警備装置３と表示装置４とを一体構成とすることもできる。この場合、情報出力手段３７、情報入力手段４４の構成が不要となり、センサＩ／Ｆ３１が検知信号入力手段４３を兼ね、モード設定操作手段３３と表示操作手段４１とを共通の操作手段とし、モード記憶手段３４と画像記憶手段４６とを共通の記憶手段とし、情報表示手段３６と画像表示手段４７とを共通の表示手段として、全体構成の簡略化を図ることができる。
【００７０】
また、上述した実施形態では、選択表示部４５ｂ２の画像選択条件として、モード設定操作手段３３での操作時点に基づいた時間的な条件である条件（１）と、警備状態における非警備モードを条件とした条件（２）の両方を満たすものとして説明したが、条件（１）だけを画像選択条件としてもよいし、条件（２）だけを画像選択条件としてもよい。
【００７１】
なお、警備状態のモードに関し、建物内に利用者がいる有人状態であっても、利用者を検知しない防犯センサ６１（例えば、窓の開閉を監視するマグネットセンサ）については、侵入監視を行い、利用者を検知する防犯センサ６１（例えば、建物内に存在する人体を検知する赤外線センサ）については侵入監視を行わない在宅警備モードを、警備装置３に設定可能にするようにしてもよい。この場合、在宅警備モードは、本発明における有人モードに相当し、実施例では画像選択条件（２）を満足する非警備モードに相当する。
【００７２】
また、上述した実施形態では、無人モード又は有人モードを設定する操作手段を、警備装置３のモード設定操作手段３３として説明したが、本発明における操作手段は、テレビドアホンシステムや留守番電話において、利用者が外出時に操作する操作手段であってもよい。テレビドアホンシステムの場合は、訪問者の映像や音声を記録するモードに設定する操作手段が相当し、留守番電話の場合は、着信があったときに自動応答して相手のメッセージを録音するモードに設定する操作手段が相当する。
【図面の簡単な説明】
【００７３】
【図１】本発明に係る屋外監視装置のブロック構成図である。
【図２】本発明に係る屋外監視装置を含む監視システムの概略構成図である。
【図３】本発明に係る屋外監視装置における表示装置内の画像記憶手段に記憶される情報の一例を示す図である。
【図４】本発明に係る屋外監視装置における警備装置内の監視制御手段の処理内容を示すフローチャートである。
【図５】本発明に係る屋外監視装置における表示装置内の記憶処理部の処理内容を示すフローチャートである。
【図６】屋外監視装置における表示装置内の表示制御手段の処理内容を示すフローチャートである。
【図７】屋外監視装置における表示装置内の画像表示手段に表示される表示画面の一例を示す図である。
【符号の説明】
【００７４】
１  屋外監視装置
２  監視装置
３  警備装置
４  表示装置
２１  撮像手段
２２  検知手段
２３  制御手段
２４  画像信号出力手段
２５  検知信号出力手段
３１  センサＩ／Ｆ
３２  通信手段
３３  モード設定操作手段
３４  モード記憶手段
３５  監視制御手段
３６  情報表示手段
３７  情報出力手段
４１  表示操作手段
４２  画像信号入力手段
４３  検知信号入力手段
４４  情報入力手段
４５  表示制御手段
４５ａ  現在画像表示処理部
４５ｂ  検知画像処理部
４５ｂ１  記憶処理部
４５ｂ２  選択表示部
４６  画像記憶手段
４７  画像表示手段
５１  監視システム
６１  防犯センサ
６２  監視センタ
【図１】
0005179226.tif 000002
【図２】
0005179226.tif 000003
【図３】
0005179226.tif 000004
【図４】
0005179226.tif 000005
【図５】
0005179226.tif 000006
【図６】
0005179226.tif 000007
【図７】
0005179226.tif 000008